(57)【要約】【課題】安価な構成で、リード線の板金部品のエッジ部への接触を防止することができる空気調和機の室外機を提供する。【解決手段】電気的接続用のリード線（図示せず）を樹脂部品（図示せず）及び板金製の防火カバーＢ１２等に接触し、引き回しを行う構造を具備した空気調和機の室外機において、前記リード線が前記防火カバーＢ１２のエッジ部に触れないようにするための絞り形状（ビード）１１ｂを、板金製の防火カバーＡ１１に設けたもので、折り曲げする防火カバーＢ１２の形状は、最小限で材料コスト向上を抑え、且つ部品点数・組立工数削減を図りながら、リード線のエッジ部への接触を防止することができる。【選択図】図１
2011007405.tif 000002
【特許請求の範囲】
【請求項１】
電気的接続用のリード線を樹脂部品及び鈑金部品に接触し、引き回しを行う構造を具備した空気調和装置の室外機において、前記リード線が前記板金部品のエッジ部に触れないようにするための絞り形状（ビード）を、前記板金部品に設けたことを特徴とする空気調和装置の室外機。
【発明の詳細な説明】
【技術分野】
【０００１】
本発明は、空気調和機の室外機に関するもので、特に、空気調和機の室外機内部に配されたリード線の板金部品のエッジ部からの保護に関するものである。
【背景技術】
【０００２】
従来、空気調和機の室外機の電子制御装置と電子部品とを接続するリード線をエッジから保護する為、樹脂部品で鈑金エッジ部を覆い、あるいは、鈑金部品単品ではエッジ部にカーリング又はヘミング加工を行いリード線がエッジに接触をしない様に構成されている（例えば、特許文献１及び２参照）。
【０００３】
図２は、上記特許文献１、２に記載された従来の空気調和機の室外機の三面図、図３は、同室外機の電源板完成品の斜視図、図４は、同室外機の電源板完成ターミナル部の斜視図、図５は、同室外機の電源板完成ＦＭコネクター部の斜視図である。
【０００４】
図２〜５において、従来の空気調和機の室外機の外郭は、天板１と、右側板２と、前板３から構成され、それらは、ネジ６で組み立てられている。４は、配管カバーである。
【０００５】
同室外機は、防火カバーＡ１１と、防火カバーＢ１２と、防火カバーＣ１３と、防火カバーＤ１４と、防火カバーＥ１６と、電源板本体１５と、サブ電源板１７とを備えている。
防火カバーＡ１１〜防火カバーＥ１６は、板金からなる板金部品で、１１ａ、１４ｂ、１６ａは、それぞれ防火カバーＡ１１、防火カバーＤ１４、防火カバーＥ１６に形成されると共に電気的接続用の各種リード線（図示せず）が引き回される部位に存在するエッジ部である。
【０００６】
また、電源板本体１５と、サブ電源板１７のそれぞれに、樹脂製の保護リブ１５ａ、１５ｂ、１７ａが設けられ、これら保護リブ１５ａ、１５ｂ、１７ａで、リード線がエッジ部１１ａ、１４ｂ、１６ａに直接触れないようにしている。また、防火カバーＢ１２、防火カバーＤ１４の、リード線が配された近傍には、ヘミング１２ａ、１４ａが設けられ、同様に、リード線がエッジ部１１ａ、１４ｂ、１６ａに直接触れないようにしている。
【先行技術文献】
【特許文献】
【０００７】
【特許文献１】特開平９−２６１６４号公報
【特許文献２】特開２００７−１４７２０５号公報
【発明の概要】
【発明が解決しようとする課題】
【０００８】
しかしながら、前記従来の空気調和機の室外機の構成では、鈑金部品の重なり部に対応するためには構造を複雑にしたり隙間を大きく開けて対応していたが、近年防火対策強化のために、樹脂部品を鈑金部品で樹脂全体を覆い隠す必要があり、鈑金部品の材料費増、部品点数・組立工数増という課題を有していた。
【０００９】
本発明は、前記従来の課題を解決するもので、最小限の鈑金材料で形成し、部品点数・組立工数も削減させつつ、リード線のエッジ部接触を防止することができる空気調和機の室外機を提供することを目的とする。
【課題を解決するための手段】
【００１０】
前記従来の課題を解決するために本発明の空気調和機の室外機は、電気的接続用のリード線を樹脂部品及び鈑金部品に接触し、引き回しを行う構造を具備した空気調和機の室外機において、前記リード線が前記板金部品のエッジ部に触れないようにするための絞り形状（ビード）を、前記板金部品に設けたもので、折り曲げする鈑金部品の形状は最小限で材料コスト向上を抑え、且つ部品点数・組立工数削減を図りながら、リード線のエッジ部への接触を防止することができる。
【発明の効果】
【００１１】
本発明の空気調和機の室外機は、折り曲げする鈑金部品の形状は最小限で材料コスト向上を抑え、且つ部品点数・組立工数削減を図りながら、リード線のエッジ部への接触を防止することができる。
【図面の簡単な説明】
【００１２】
【図１】本発明の実施の形態１における空気調和機の室外機の要部斜視図
【図２】従来の空気調和機の室外機の三面図
【図３】同室外機の電源板完成品の斜視図
【図４】同室外機の電源板完成ターミナル部の斜視図
【図５】同室外機の電源板完成ＦＭコネクター部の斜視図
【発明を実施するための形態】
【００１３】
第１の発明は、電気的接続用のリード線を樹脂部品及び鈑金部品に接触し、引き回しを行う構造を具備した空気調和機の室外機において、前記リード線が前記板金部品のエッジ部に触れないようにするための絞り形状（ビード）を、前記板金部品に設けたもので、折り曲げする鈑金部品の形状は最小限で材料コスト向上を抑え、且つ部品点数・組立工数削減を図りながら、リード線のエッジ部への接触を防止することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の室外機の要部斜視図である。尚、上記従来の空気調和機の室外機と同一部分には同一符号を付してその説明を省略する。
【００１６】
本実施の形態における空気調和機の室外機は、図１に示すように、鈑金部品である防火カバーＢ１２のヘミング端面のエッジ接触防止に、同じく鈑金部品である防火カバーＡ１１に、防火カバーＢ１２のヘンミグ高さより高いビード１１ｂを設けたものである。
【００１７】
本実施の形態における空気調和機の室外機は、以上のように構成されているので、折り曲げする鈑金部品の形状は最小限で材料コスト向上を抑え、且つ部品点数・組立工数削減しながらリード線のエッジ部への接触を防止することができる。
【００１８】
また、防火カバーＡ１１には、従来０．６ｍｍの厚さの鈑金を用いていたが、ビード１１ｂは、補強機能も兼ね備えているので、防火カバーＡ１１に使用する板金の厚みを０．４ｍｍまで薄くすることもできる。
【産業上の利用可能性】
【００１９】
以上のように、本発明に係る空気調和機の室外機は、折り曲げする鈑金部品の形状は最小限で材料コスト向上を抑え、且つ部品点数・組立工数削減が可能になるので、板金部品を多用する各種電気機器に提供できる。
【符号の説明】
【００２０】
１  天板
２  右側板
３  前板
４  配管カバー
６  ネジ
１１  防火カバーＡ（板金部品）
１１ｂ  ビード
１２  防火カバーＢ（板金部品）
１２ａ  ヘミング部
１３  防火カバーＣ（板金部品）
１４  防火カバーＤ（板金部品）
１５  電源板本体
１６  防火カバーＥ（板金部品）
１７  サブ電源板本体）
１６ａ  エッジ部
【図１】
2011007405.tif 000003
【図２】
2011007405.tif 000004
【図３】
2011007405.tif 000005
【図４】
2011007405.tif 000006
【図５】
2011007405.tif 000007